(57)【要約】      （修正有）【課題】水晶片のクラックを防止した水晶振動子を提供する。【解決手段】金属ベースに設けられた一対の気密端子に接続し、互いに反対方向の外側に向かってスリットを有する傾斜部と、前記傾斜部から延出した垂直部と、前記垂直部から延出して先端側から溝を有する保持部とからなるサポータを備え、前記スリットに水晶片の下辺側両端部が挿入され、前記保持部に前記水晶片の上辺側両端部が導電性接着剤によって固着された水晶振動子において、前記保持部は少なくとも前記水晶片の上辺側両端部の上面に位置した対向部を有し、前記上辺側両端部の上面と前記対向部と間に導電性接着剤が施され、前記水晶片の下辺両端部の下面と前記スリットの下端とは離間している構成とする。【選択図】図１
2006311318.tif 000002
【特許請求の範囲】
【請求項１】
金属ベースに設けられた一対の気密端子に接続し、互いに反対方向の外側に向かってスリットを有する傾斜部と、前記傾斜部から延出した垂直部と、前記垂直部から延出して先端側から溝を有する保持部とからなるサポータを備え、前記スリットに水晶片の下辺側両端部が挿入され、前記保持部に前記水晶片の上辺側両端部が導電性接着剤によって固着された水晶振動子において、前記保持部は少なくとも前記水晶片の上辺側両端部の上面に位置した対向部を有し、前記上辺側両端部の上面と前記対向部と間に導電性接着剤が施され、前記水晶片の下辺両端部の下面と前記スリットの下端とは離間していることを特徴とする水晶振動子。
【請求項２】
前記保持部は前記垂直部から互いに内側に向かう鉤状とし、前記対向部は前記鉤状の上端である請求項１の水晶振動子。
【請求項３】
前記保持部は前記垂直部から互いに内側に向かうコ字状とし、前記対向部は前記コ字状の上辺である請求項１の水晶振動子。
【請求項４】
金属ベースに設けられた一対の気密端子に接続し、互いに反対方向の外側に向かってスリットを有する傾斜部と、前記傾斜部から延出した垂直部と、前記垂直部から延出して先端側から溝を有する保持部とからなるサポータを備え、前記スリットに水晶片の下辺側両端部が挿入され、前記保持部に前記水晶片の上辺側両端部が導電性接着剤によって固着された水晶振動子において、前記サポータは前記導電性接着剤の加熱温度で原型に復帰する形状記憶合金からなり、前記サポータは前記導電性接着剤の保持部への塗布時には互いに内側に屈曲し、前記導電性接着剤の加熱温度で原型に復帰させ、前記水晶片の下辺両端部の下面を前記スリットの下端から離間したことを特徴とする水晶振動子。
【請求項５】
前記サポータは前記気密端子のリード線を延出して平板加工によって形成された請求項１、２、３又は４の水晶振動子。
【発明の詳細な説明】
【技術分野】
【０００１】
本発明は金属ベースを用いた水晶振動子を技術分野とし、特に金属ベース上に水晶片を垂直方向に保持した水晶振動子のサポータに関する。
【背景技術】
【０００２】
（発明の背景）
水晶振動子は各種の電子機器に周波数や時間の基準源として広く用いられ、このようなものの一つに金属ベースを用いた水晶振動子がある。近年では、周波数偏差等の規格も厳しく、振動特性を維持して生産性を高めるものが望まれている。
【０００３】
（従来技術の一例）
第５図は一従来例を説明する図で、同図（ａ）は水晶振動子の正面図、同図（ｂ）は同側面図、同図（ｃ）はサポータの図である。
【０００４】
水晶振動子は金属ベース１のサポータ２に水晶片３を保持し、図示しないカバーを抵抗溶接等によって封止してなる。金属ベース１は一対の気密端子４を有し、内表面に突出した先端側にサポータ２を接続してなる。サポータ２は傾斜部２ａ、垂直部２ｂ及び保持部２ｃからなり、この例では気密端子４のリード線４ａを延出してプレス等による平板加工（潰し加工）によって形成される。図中の符号４ｂは気密端子とするためのガラスである。
【０００５】
サポータ２の傾斜部２ａは互いに反対方向の外側に向かって延出し、板面を貫通するスリット５を有する。垂直部２ｂは傾斜部２ａから上方に向かって延出する。保持部２ｃは互いに反対方向の内側に向かうとともに上方に延出したＬ字状とし、先端側からの溝６によって分割される。溝幅Ｗはスリットの幅よりも小さくする。これらの、スリット５や溝６及び折り曲げはプレス時に一体的に形成される。水晶片３は両主面に励振電極７を有し、両端側には励振電極７から延出して両辺に沿った引出電極８を有する。ここでは、引出電極８はそれぞれ反対面に折り返して形成される。
【０００６】
このようなものでは、第６図に示したように、先ず、金属ベース１上から水晶片３をサポータ２の保持部２ｃの溝６に落とし込んで、水晶片３の下辺側両端部を傾斜部２ａのスリット５に挿入するとともに、上辺両端部を保持部２ｃの溝６に挿入する「同図（ａ）」。次に、水晶片３の上辺両端部に、接着ノズル９からの一定量が吐出された導電性接着剤１０を押し当てて塗布する「第６図（ｂ）」。この場合、Ｌ字状とした保持部２ｃによって導電性接着剤１０の塗布領域が制限される「第５図（ａ）」。そして、図示しない金属カバーを抵抗溶接し、水晶片３を密閉封入する。
【発明の開示】
【発明が解決しようとする課題】
【０００７】
（従来技術の問題点）
しかしながら、上記構成の水晶振動子では、水晶片を落とし込んで下辺両端部を傾斜部のスリットに挿入する。したがって、水晶片の下辺両端部の中央寄りの下面は、スリットの上下端のうちの下端に当接して保持される。この場合、例えば衝撃があった場合には、当接部からクラックが生じて振動特性を悪化させたり、振動を停止させたりする問題があった。
【０００８】
（発明の目的）
本発明は水晶片のクラックを防止した水晶振動子を提供することを目的とする。
【課題を解決するための手段】
【０００９】
本発明は、特許請求の範囲（請求項１）に示したように、金属ベースに設けられた一対の気密端子に接続し、互いに反対方向の外側に向かってスリットを有する傾斜部と、前記傾斜部から延出した垂直部と、前記垂直部から延出して先端側から溝を有する保持部とからなるサポータを備え、前記スリットに水晶片の下辺側両端部が挿入され、前記保持部に前記水晶片の上辺側両端部が導電性接着剤によって固着された水晶振動子において、前記保持部は少なくとも前記水晶片の上辺側両端部の上面に位置した対向部を有し、前記上辺側両端部の上面と前記対向部と間に導電性接着剤が施され、前記水晶片の下辺両端部の下面と前記スリットの下端とは離間している構成とする。
【００１０】
また、同請求項４では、金属ベースに設けられた一対の気密端子に接続し、互いに反対方向の外側に向かってスリットを有する傾斜部と、前記傾斜部から延出した垂直部と、前記垂直部から延出して先端側から溝を有する保持部とからなるサポータを備え、前記スリットに水晶片の下辺側両端部が挿入され、前記保持部に前記水晶片の上辺側両端部が導電性接着剤によって固着された水晶振動子において、前記サポータは前記導電性接着剤の加熱温度で原型に復帰する形状記憶合金からなり、前記サポータは前記導電性接着剤の保持部への塗布時には互いに内側に屈曲し、前記導電性接着剤の加熱温度で原型に復帰させ、前記水晶片の下辺両端部の下面を前記スリットの下端から離間したことを特徴とする水晶振動子。
【発明の効果】
【００１１】
このような請求項１の発明（構成）であれば、前記水晶片の上辺側両端部の上面と保持部の対向部と間に導電性接着剤が施される。したがって、導電性接着剤の熱硬化時の収縮によって水晶片が上方に引き上げられ、水晶片の下辺両端部の下面とスリットの下端とは離隔する。これにより、衝撃があったとしても、水晶片の下面とスリットの下端とは離間するので、クラックの発生を防止できる。
【００１２】
また、請求項４の発明であれば、サポータを形状記憶合金とするので、導電性接着剤の加熱時における原型復帰時に水晶片が上方に引き上げられ、水晶片の下辺両端部の下面とスリットの下端とは離隔する。これにより、衝撃があったとしても、水晶片の下面とスリットの下端とは離間するので、クラックの発生を防止できる。
【発明を実施するための最良の形態】
【００１３】
（第１実施形態、請求項１、２、５に相当）
第１図は本発明の一実施形態を説明する図で、同図（ａ）は水晶振動子の正面図、同図（ｂ）はサポータの図である。なお、前従来例と同一部分の説明は簡略又は省略する。
【００１４】
水晶振動子は、前述したように、金属ベース１の気密端子４（リード線）が平板加工によって形成されたサポータ２に水晶片３を保持し、図示しないカバーを抵抗溶接等によって封止してなる。サポータ２は互いに反対方向の外側に向かって延出してスリット５を有する傾斜部２ａ、上方に向かう垂直部２ｂ、及び本発明の特徴部である保持部２ｃからなる。
【００１５】
すなわち、ここでの保持部２ｃは垂直部２ｂから互いに内側に向かう鉤状とする。すなわち、垂直部２ｂからさらに上方に延出し、互いに反対方向の内側に屈曲する鉤状とする。そして、鉤状の上端は対向部２c1として水晶片３の上辺両端部の上面に対向する。ここでも、保持部２ｃの対向部２c1には先端側から溝６を有する。
【００１６】
このようなものでは、第２図に示したように、先ず、従来例と同様に、金属ベース１上から水晶片３をサポータ２の保持部２ｃ（対向部２c1）の溝６に落とし込む「同図（ａ）」。これにより、水晶片３の下辺側両端部を傾斜部２ａのスリット５に挿入する「第２図（ｂ）」。ここでは、水晶片３の上辺両端部は対向部２c1の溝６を通過し、上辺両端部の上面は対向部２c1と対向する。
【００１７】
次に、例えば対向部２c1の上方から接着ノズル９によって導電性接着剤１０を塗布する。この場合、導電性接着剤１０は溝６から下方に流出して、水晶片３の上辺両端部の上面を含めた角部に塗布される「第２図（ｃ）」。導電性接着剤１０は、ここでは水晶片３の表面よりも対向部２c1と上面との間の量を多くする。
【００１８】
次に、導電性接着剤１０を加熱硬化させる。この場合、導電性接着剤１０中のバインダが気化して硬化収縮する。そして、導電性接着剤の収縮によって水晶片３が上方に引き上げられる「第１図（ａ）」。ここでは、水晶片３の表面よりも対向部２c1と上面との間の導電性接着剤１０の量を多くするので、引き上げ効果が高まる。したがって、水晶片３の下辺両端部の下面とスリット５の下端とは離間する。このことから、衝撃があったとしても、水晶片の下面とスリットの下端とは離間するので、クラックの発生を防止できる。
【００１９】
（第２実施形態、請求項１、３、５に相当）
第３図は本発明の第２実施形態を説明する水晶振動子の図で、同図（ａｂ）ともに一部正面図である。なお、第１実施形態と同一部分の説明は簡略又は省略する。
【００２０】
第１実施形態ではサポータの保持部２ｃは単に鉤状としたが、第２実施形態ではコ字状とする。例えば第２図（ａ）では垂直部２ｃの先端にコ字状の上辺を接続し、同図（ｂ）ではコ字状の下辺を接続した形状とする。そして、いずれの場合でも、コ字状の上辺を保持部２ｃの対向部２c1として、水晶片３の上辺両端部の上面に対向させる。
【００２１】
この場合でも、保持部２ｃ（対向部２c1）の先端側からは水晶片３を挿入する溝６を有する。そして、対向部２c1の上方から導電性接着剤１０を塗布して、熱硬化する。これにより、前述同様に、導電性接着剤１０の収縮によって水晶片３が上方に持ち上がり、水晶片３の下面が傾斜部２ａのスリット５の下端から離間する。そして、この場合には。コ字状の垂直辺及び下辺が導電性接着剤１０の広がりを防止して、振動特性を良好に維持する。
【００２２】
（第３実施形態、請求項４、５に相当）
第４図は本発明の第３実施形態を説明する水晶振動子の図で、同図（ａｂ）ともに水晶振動子の一部正面図である。なお、前実施形態と同一部分の説明は諸略する。
【００２３】
第３実施形態ではサポータ２を形状記憶合金とする。ここでは、導電性接着剤１０の加熱温度での形状（原型）を記憶し、同温度で原型に復帰する。原型は、スリット５を有する傾斜部２ａ、垂直部２ｂ、及び、先端から溝６を有する内側に向かう水平とした保持部２ｃからなる。
【００２４】
このようなものでは、先ず、サポータ２の例えば垂直部２ｃを傾斜させて互いに内側に屈曲させる。次に、水晶片３を落とし込んで下辺両端部をスリット５に、上辺両端部を溝６に挿入する「第４図（ａ）」。そして、導電性接着剤１０を上辺両端部に塗布する。次に、導電性接着剤１０を加熱し、硬化させる。この場合、加熱温度によって、サポータ２は原型に復帰する「第４図（ｂ）」。すなわち、垂直部が元に戻ることによって水晶片３の上辺両端部が引き上げられ、下辺両端部の下面がスリット５の下端から離間する。
【図面の簡単な説明】
【００２５】
【図１】本発明の第１実施形態を説明する図で、同図（ａ）は水晶振動子の正面図、同図（ｂ）はサポータの図である。
【図２】本発明の第１実施形態の製造工程図で、同図（ａｂｃ）ともに水晶振動子の一部正面図である。
【図３】本発明の第２実施形態を説明する水晶振動子の一部正面図である。
【図４】本発明の第３実施形態の製造工程図で、同図（ａｂ）ともに水晶振動子の一部正面図である。
【図５】従来例を説明する図で、同図（ａ）は水晶振動子の正面図、同図（ｂ）は同側面図、同図（ｃ）はサポータの図である。
【図６】従来例の製造工程図で、同図（ａｂｃ）ともに水晶振動子の一部正面図である。
【符号の説明】
【００２６】
１  金属ベース、２  サポータ、３  水晶片、４  気密端子、５  スリット、６  溝、７  励振電極、８  引出電極、９  接着ノズル、１０  導電性接着剤。
【図１】
2006311318.tif 000003
【図２】
2006311318.tif 000004
【図３】
2006311318.tif 000005
【図４】
2006311318.tif 000006
【図５】
2006311318.tif 000007
【図６】
2006311318.tif 000008